【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
クレーン基部と、
前記クレーン基部に配置され、水平方向の枢動軸を有する第1の枢動部の周りで枢動可能である第1のマストであって、複数のマスト分割体を備え、メインブームである第1のマストと、
後マストである第2のマストと
を備え、
前記第1のマストは、2つのマスト分割体の間に配置され、それによって前記第1のマストの第1のマスト上方部と第1のマスト下方部とを定める第1のマスト傾斜部材を備え、
前記第1のマスト上方部は、少なくとも1つのマスト分割体を備え、前記第1のマスト傾斜部材と前記第1のマストの上端との間に配置され、
前記第1のマスト下方部は、少なくとも1つのマスト分割体を備え、前記クレーン基部と前記第1のマスト傾斜部材との間に配置され、
前記第1のマスト傾斜部材は、
前記第1のマスト上方部に連結される上方連結部と、前記第1のマスト下方部に連結される下方連結部とを備え、
前記第1のマスト上方部と前記第1のマスト下方部とが互いと本質的に一直線である直線吊上状態と、前記第1のマスト上方部が前記第1のマスト下方部に対して傾斜させられ、前記第2のマストから離される傾斜吊上状態とを有し、
前記直線吊上状態と前記傾斜吊上状態との両方において、前記第1のマスト上方部から前記第1のマスト下方部へと力を伝達するように適合される、クレーン。
【請求項２】
クレーン基部と、
複数のマスト分割体を備え、後マストである第1のマストと、
前記クレーン基部に配置され、水平方向の枢動軸を有する第1の枢動部の周りで枢動可能である第2のマストであって、メインブームである第2のマストと
を備え、
前記第1のマストは、2つのマスト分割体の間に配置され、それによって前記第1のマストの第1のマスト上方部と第1のマスト下方部とを定める第1のマスト傾斜部材を備え、
前記第1のマスト上方部は、少なくとも1つのマスト分割体を備え、前記第1のマスト傾斜部材と前記第1のマストの上端との間に配置され、
前記第1のマスト下方部は、少なくとも1つのマスト分割体を備え、前記クレーン基部と前記第1のマスト傾斜部材との間に配置され、
前記第1のマスト傾斜部材は、
前記第1のマスト上方部に連結される上方連結部と、前記第1のマスト下方部に連結される下方連結部とを備え、
前記第1のマスト上方部と前記第1のマスト下方部とが互いと本質的に一直線である直線吊上状態と、前記第1のマスト上方部が前記第1のマスト下方部に対して傾斜させられ、前記第2のマストから離される傾斜吊上状態とを有し、
前記直線吊上状態と前記傾斜吊上状態との両方において、前記第1のマスト上方部から前記第1のマスト下方部へと力を伝達するように適合される、クレーン。
【請求項３】
前記第1のマスト傾斜部材に連結される前記第1のマスト上方部の前記マスト分割体の断面は、前記第1のマスト傾斜部材に連結される前記第1のマスト下方部の前記マスト分割体の断面と同じ寸法のものである、請求項1または2に記載のクレーン。
【請求項４】
前記第1のマストの前記複数のマスト分割体のうちの複数と、前記第1のマスト傾斜部材の前記上方連結部および前記下方連結部とは、前記第1のマスト傾斜部材を前記複数のマスト分割体のうちの任意の2つの間に配置可能なように適合される、請求項1から3のいずれか一項に記載のクレーン。
【請求項５】
前記クレーンは、前記第1のマストに連結される第1の支柱端と、第1の支柱支線に取り付けられる第2の支柱端とを伴う支柱をさらに備え、前記第1の支柱支線は、前記第1のマスト傾斜部材が前記傾斜吊上状態にあるときに前記第1のマスト上方部を前記第1のマスト下方部に対して固定位置で維持するために、前記第1のマスト上方部の前記上端に取り付けられる、請求項1から4のいずれか一項に記載のクレーン。
【請求項６】
前記クレーンは第2の支柱支線をさらに備え、前記第2の支柱支線は、前記支柱の第2の端と、前記第1のマスト下方部または前記クレーン基部とに取り付けられ、
前記クレーンは、前記第1の支柱支線および前記第2の支柱支線の一方を巻き付けるための巻付機をさらに備え、
前記第1のマスト傾斜部材が前記傾斜吊上状態にあるとき、
前記支柱の前記第2の端と前記第1のマスト上方部の前記上端との間の距離が前記第1の支柱支線によって決定され、
前記支柱の前記第2の端と前記第1のマスト下方部および/または前記クレーン基部との間の距離が前記第2の支柱支線によって決定され、
前記第1のマスト上方部は、前記第1の支柱支線および前記第2の支柱支線の一方を前記巻付機に巻き付けることで、前記第1のマスト傾斜部材を前記直線吊上状態に持って行くために前記第1のマスト下方部と一直線に移動させられるように適合される、請求項5に記載にクレーン。
【請求項７】
前記第1のマスト上方部は、前記第1の支柱支線および前記第2の支柱支線の一方を前記巻付機に巻き付ける一方で、前記第1の支柱支線および前記第2の支柱支線の他方の長さを一定に維持することで、前記第1のマスト傾斜部材を前記直線吊上状態に持って行くために前記第1のマスト下方部と一直線に移動させられるように適合される、請求項6に記載にクレーン。
【請求項８】
前記支柱は、前記第1のマスト傾斜部材が前記傾斜吊上状態にあるときに前記第1のマスト上方部を前記第1のマスト下方部に対して固定位置で維持するための機能位置と、前記支柱が前記第1のマスト下方部と本質的に平行であり、前記支柱の第1の端が第2の端の上方に位置させられる非機能位置とを有し、
前記クレーンは、前記支柱に取り付けられる支線を巻き付けるための巻付機を備え、前記支線を前記巻付機に巻き付けることで前記支柱を上向きに移動させるように適合され、
前記第1のマスト下方部は、前記上向きの移動の間に前記支柱を前記第1のマスト下方部と平行に案内するための支柱案内部を有し、
前記第1のマストは支柱位置決め要素をさらに備え、前記支柱位置決め要素は、前記支柱が前記機能位置となるまで、前記支柱の前記上向きの移動を停止し、前記支柱を枢動させるように適合される、請求項6または7に記載にクレーン。
【請求項９】
前記支線は前記第1の支柱支線である、請求項8に記載にクレーン。
【請求項１０】
前記支柱の前記第2の端は第2の支柱支線にさらに取り付けられ、前記第2の支柱支線は前記第1のマスト下方部または前記クレーン基部にも取り付けられ、前記第2の支柱支線は、前記支柱を前記機能位置において維持するように適合される長さを有する、請求項8または9に記載にクレーン。
【請求項１１】
前記第1のマスト傾斜部材は伸縮シリンダをさらに備え、前記伸縮シリンダは、前記第1のマスト傾斜部材を前記直線吊上状態から前記傾斜吊上状態へと移動させるように適合される、請求項1から10のいずれか一項に記載にクレーン。
【請求項１２】
前記第1のマスト傾斜部材は、前記伸縮シリンダが伸長させられているときに前記直線吊上状態にあり、前記伸縮シリンダが収縮させられているときに前記傾斜吊上状態にある、請求項11に記載にクレーン。
【請求項１３】
前記第2のマストは第2のマスト支線によって前記第1のマストに連結され、前記第2のマスト支線は前記第1のマスト上方部の上端において前記第1のマストに連結される、請求項1から12のいずれか一項に記載にクレーン。
【請求項１４】
前記第2のマストの長さは前記第1のマスト下方部の長さより長い、請求項1から13のいずれか一項に記載にクレーン。
【請求項１５】
前記後マストの長さは前記メインブームの長さの50%より長い、請求項1から14のいずれか一項に記載にクレーン。
【請求項１６】
前記後マストの長さは、前記メインブームの長さの75%より長いか、または前記メインブームの長さとおおよそ等しい、請求項15に記載にクレーン。
【請求項１７】
前記第1のマスト傾斜部材は、前記第1のマスト上方部が前記第1のマスト下方部に対して傾斜させられる傾斜軸を有し、前記傾斜軸は、前記第1のマスト傾斜部材の中立平面の近傍に位置させられる、請求項1から16のいずれか一項に記載にクレーン。
【請求項１８】
前記クレーンは、鉛直方向に組み立てられるように適合される種類のクレーンである、請求項1から17のいずれか一項に記載にクレーン。
【請求項１９】
前記第1のマスト傾斜部材は第1の上方部係止装置を備え、前記第1の上方部係止装置は、前記第1のマスト傾斜部材が前記直線吊上状態にあるとき、前記第1のマスト上方部を前記第1のマスト下方部に対して固定位置で係止するように適合される、請求項1から18のいずれか一項に記載にクレーン。
【請求項２０】
前記第1の上方部係止装置は伸縮性の液圧シリンダを備え、前記第1のマスト上方部は、前記液圧シリンダが伸長状態にあるときに前記第1のマスト下方部に対して固定位置で係止され、前記第1のマスト上方部は、前記液圧シリンダが収縮状態にあるときに前記第1のマスト下方部に対して移動可能であり、または、その逆である、請求項19に記載にクレーン。
【請求項２１】
前記第2のマストは複数のマスト分割体を備え、前記第2のマストは、
少なくとも1つのマスト分割体を備える第2のマスト上方部と、
少なくとも1つのマスト分割体を備える第2のマスト下方部と、
前記第2のマスト上方部と前記第2のマスト下方部との間に配置され、前記第2のマスト上方部に連結される上方連結部、および、前記第2のマスト下方部に連結される下方連結部を備え、
前記第2のマスト上方部と前記第2のマスト下方部とが互いと本質的に一直線である直線吊上状態、および、前記第2のマスト上方部が前記第2のマスト下方部に対して傾斜させられる傾斜吊上状態を有し、
前記直線吊上状態と前記傾斜吊上状態との両方において、前記第2のマスト上方部から前記第2のマスト下方部へと力を伝達するように適合される
第2のマスト傾斜部材と
を備える、請求項1から20のいずれか一項に記載にクレーン。
【請求項２２】
前記第1のマストと前記第2のマストとの少なくとも一方がラチスマストである、請求項1から21のいずれか一項に記載にクレーン。
【請求項２３】
クレーンを吊上場所に配置するステップであって、前記クレーンは、クレーン基部と、複数のマスト分割体を備え、後マストおよびメインブームの一方である第1のマストと、後マストおよびメインブームの他方である第2のマストとを備え、前記第1のマストは、2つのマスト分割体の間に配置され、それによって前記第1のマストの第1のマスト上方部と第1のマスト下方部とを定める第1のマスト傾斜部材を備える、ステップと、
前記第1のマスト上方部と前記第1のマスト下方部とが互いと本質的に一直線となる直線吊上状態において、前記第1のマストを前記第1のマスト傾斜部材と組み立てるステップと、
前記第1のマスト傾斜部材を、前記直線吊上状態から、前記第1のマスト上方部が前記第1のマスト下方部に対して傾斜させられ、前記第2のマストから離される傾斜吊上状態へと移動させるステップと
を含む、クレーンを動作させるための方法。
【請求項２４】
クレーンを吊上場所に配置するステップであって、前記クレーンは、クレーン基部と、複数のマスト分割体を備え、後マストおよびメインブームの一方である第1のマストと、後マストおよびメインブームの他方である第2のマストとを備え、前記第1のマストは、2つのマスト分割体の間に配置され、それによって前記第1のマストの第1のマスト上方部と第1のマスト下方部とを定める第1のマスト傾斜部材を備える、ステップと、
前記第1のマスト上方部が前記第1のマスト下方部に対して傾斜させられ、前記第2のマストから離される傾斜吊上状態において、前記第1のマストを前記第1のマスト傾斜部材と組み立てるステップと、
前記第1のマスト傾斜部材を、前記傾斜吊上状態から、前記第1のマスト上方部と前記第1のマスト下方部とが互いと本質的に一直線となる直線吊上状態へと移動させるステップと
を含む、クレーンを動作させるための方法。
【請求項２５】
前記第1のマスト傾斜部材を前記傾斜吊上状態へと移動させる前記ステップの前に、
第1の荷重を、前記メインブームの上端に配置される吊上機構に連結される吊上ワイヤに取り付けるステップと、
前記第1のマスト傾斜部材が前記直線吊上状態にある間に前記第1の荷重を前記メインブームで吊り上げるステップと
をさらに含み、
前記第1のマスト傾斜部材を前記傾斜吊上状態へと移動させる前記ステップの後に、
第2の荷重を、前記メインブームの前記上端に配置される前記吊上機構に連結される前記吊上ワイヤに取り付けるステップと、
前記第1のマスト傾斜部材が前記傾斜吊上状態にある間に前記第2の荷重を前記メインブームで吊り上げるステップと
をさらに含む、請求項23または24に記載の方法。
【請求項２６】
前記第1のマスト傾斜部材を前記傾斜吊上状態へと移動させる前記ステップの前に、
第3の荷重を、前記メインブームの上端に配置される吊上機構に連結される吊上ワイヤに取り付けるステップと、
前記第1のマスト傾斜部材が前記直線吊上状態にある間に前記第3の荷重を前記メインブームで持ち上げるステップと
を含み、
前記第3の荷重が持ち上げられている間に、前記第1のマスト傾斜部材を前記直線吊上状態から前記傾斜吊上状態へと移動させるステップを含み、
前記第1のマスト傾斜部材が前記傾斜吊上状態にあるとき、
前記第3の荷重を地面に持って行くステップと、
前記第3の荷重を前記吊上ワイヤから取り外すステップと
を含む、請求項23から25のいずれか一項に記載の方法。
【請求項２７】
前記第1のマスト傾斜部材が前記傾斜吊上状態にあるとき、
第4の荷重を、前記メインブームの上端に配置される吊上機構に連結される吊上ワイヤに取り付けるステップと、
前記第1のマスト傾斜部材が前記傾斜吊上状態にある間に前記第4の荷重を前記メインブームで持ち上げるステップと
をさらに含み、
前記第4の荷重が持ち上げられている間に、前記第1のマスト傾斜部材を前記傾斜吊上状態から前記直線吊上状態へと移動させるステップをさらに含み、
前記第1のマスト傾斜部材が前記直線吊上状態にあるとき、
前記第4の荷重を地面に持って行くステップと、
前記第4の荷重を前記吊上ワイヤから取り外すステップと
をさらに含む、請求項23から26のいずれか一項に記載の方法。
【請求項２８】
第1のマスト傾斜部材を前記傾斜吊上状態へと移動させる前記ステップの前に、
支柱を、前記支柱に取り付けられる支線を巻付機に巻き付けることで、前記支柱が支柱位置決め要素に到達するまで、前記第1のマスト下方部によって備えられる支柱案内部に沿って、前記第1のマスト下方部と平行に上向きに引っ張るステップと、
前記支柱が機能位置となるまで前記支柱を前記支柱位置決め要素の周りで枢動させるステップと、
前記第1のマスト傾斜部材が前記傾斜吊上状態にあるとき、前記第1のマスト上方部を前記第1のマスト下方部に対して固定位置で維持するために、第1の支柱支線がピンと張られるまで前記第1の支柱支線を巻付機に巻き付けるステップと
を含む、請求項23から27のいずれか一項に記載の方法。
【請求項２９】
前記支線は、前記支柱の第2の端に取り付けられかつ前記第1のマスト上方部の上端に連結される第1の支柱支線である、請求項28に記載の方法。
【請求項３０】
前記支線を前記巻付機にさらに巻き付けることで、前記支柱が機能位置となるまで前記支柱を前記支柱位置決め要素の周りで枢動させるステップを実施する、請求項28または29に記載の方法。
【請求項３１】
前記第1のマストおよび/または第2のマストを本質的に鉛直の方向において組み立てるステップをさらに含む、請求項23から30のいずれか一項に記載の方法。
【請求項３２】
支線を用いて前記第2のマストの上方端を前記第1のマストの上方端と連結するステップをさらに含む、請求項23から31のいずれか一項に記載の方法。
【請求項３３】
前記クレーンを前記吊上場所に配置する前記ステップは、前記第2のマストを配置することを含み、前記第2のマストは、複数のマスト分割体と、2つのマスト分割体の間に配置され、それによって前記第2のマストの第2のマスト上方部と第2のマスト下方部とを定める第2のマスト傾斜部材とを備え、
前記方法は、
前記第2のマスト上方部と前記第2のマスト下方部とが互いと本質的に一直線となる直線吊上状態において、前記第2のマストを前記第2のマスト傾斜部材と組み立てるステップと、
前記第2のマスト傾斜部材を、前記直線吊上状態から、前記第2のマスト上方部が前記第2のマスト下方部に対して傾斜させられ、前記第1のマストから離される傾斜吊上状態へと移動させるステップと
をさらに含む、請求項23から32のいずれか一項に記載の方法。